(57)【特許請求の範囲】
【請求項１】
搬送用のエンドレスベルト（3）を運ぶように構成されたガイド面（4）であって、
このガイド面の曲率は、水平方向のローラ（7）と、前記ベルト（3）の移動に関して固定されかつ前記ローラ（7）の両側に置かれた二つの側面（8）と、により決定され、
前記側面の各々は、前記ベルト（3）の全長にわたり、該ベルト（3）の長手軸方向に沿って連続する壁面を形成しており、かつ、湾曲して、前記ベルト（3）によって占められるベアリング面を超えて側方に延び、
さらに、少なくとも局所的には、前記側面の少なくとも一つを迅速取付装置（9）によってシャシーにヒンジ（10C）を用いて固定して、前記側面を支持するガイド部（10）が、前記側面（8）とともに、前記ヒンジ（10Ｃ）を中心に傾斜又は回転することにより、前記ローラ上に配置された前記ベルトに対して開閉可能なアクセスドアを構成することを特徴とするガイド面。
【請求項２】
前記アクセスドアは、前記側面を与える側壁の自由端部に設けられたラッチによる嵌め合わせによって、前記ガイド面（４）の上方を覆うカバーの下端部に一体に固定されることを特徴とする請求項１に記載のガイド面。
【請求項３】
前記ガイド部は、横方向に移動することを特徴とする請求項２に記載のガイド面。
【請求項４】
前記ガイド部は、回転方向に移動することを特徴とする請求項２に記載のガイド面。
【請求項５】
前記ガイド面に中断部を設けたことを特徴とする請求項１に記載のガイド面。
【請求項６】
前記側面は、スライド作用を向上させる材料からなるレイヤを有することを特徴とする請求項１に記載のガイド面。
【請求項７】
前記水平方向のローラ（７）は、傾斜自在の支持部（１３）上に取付けられることを特徴とする請求項１に記載のガイド面。
【請求項８】
前記支持部は、二つの側板を有することを特徴とする請求項７に記載のガイド面。
【請求項９】
前記支持部は、前記ローラの軸に合わせて二つのスロット（１４）を有することを特徴とする請求項８に記載のガイド面。
【請求項１０】
請求項１〜９のいずれかに記載のガイド面を備えたことを特徴とするコンベア。
【発明の詳細な説明】
【技術分野】
【０００１】
本発明は、エンドレス（循環）状の搬送面を運ぶように構成されたガイド面に関する。また、本発明は、このガイド面を備えたベルト又はバッテンタイプのコンベアに関する。
【背景技術】
【０００２】
特に塊状の材料をある場所から他の場所まで搬送することは、様々な機械を用いて構成することができるが、この選択は、例えば、搬送距離、時間毎に送られる容量等の様々なパラメーターに基いて行われている。
【０００３】
塊状の材料の場合には、エンドレス−ワームやベルト−タイプのコンベアが主に利用されている。一般に、エンドレス−ワームは短めの搬送距離に利用されているのに対して、ベルト−タイプのコンベアは長めの搬送距離に利用されている。
【０００４】
上記エンドレスベルトコンベアによって塊状の材料を搬送するとき、ベルトの作用部分をＶ字又はＵ字形状にして、移動中に材料を保持できるように、ガリー又はトラフの一種のように構成する必要がある。現在では、このようなＶ字又はＵ字形状を得るために、全搬送路に沿って設けたサポートローラのセットをベルトが走行するようにしている。そして、このようなアセンブリのローラの幾何学的な配置によって、ベルトの凹所の程度、つまり所望の輪郭を決定している。
【０００５】
一般に、このガイドアセンブリでは、中央に水平方向にローラを配置するとともに、水平線に対して傾斜するように二つ又は複数の側方のローラを配置して、エンドレスベルトの縁部を持ち上げている。
【０００６】
しかし、これらコンベアを用いて粒子状の材料を搬送するとき、例えば、ポートや粒子状の材料を取出したり、変形させる場所にこれら材料が存在すると、コンベアによって搬送される材料の一部が空気中を伝播するごみに変化して、大気を汚染することがあった。
【０００７】
また、ベルトの移動速度によって風が生じる結果、飛散される材料の量がかなりの量になることがあるが、このことは特に塊状の材料用のキャリアから材料を降ろすドックで顕著であった。
【０００８】
上述のようなごみは取り除かれる必要がある。
従来の解決策の一つ（特許文献１参照）では、閉じた円筒形状のチューブ内にベルトの作用部分を配置するように試みている。このチューブは単一部品でもよく、又は複数の部品からチューブを組付けるように構成されていてもよい。ベルトはチューブ内をスライド移動するが、チューブの内面がガイドとして作用するとともに、ベルトの幾何学的な形状を定めている。
【０００９】
チューブ内でベルトが移動する際、二つの現象が生じている。即ち、第一の現象は、チューブの搬送面とベルトの底面の間にエアのクッションが形成されることである。このため、ベルトは浮遊できるようになる。従って、多数のローラを使用することを省くことができる。
【００１０】
第二の現象は、エアの流れが形成されて、ほとんどのごみを出口まで運ぶことができることである。従って、このシステムでは、空気中を伝播するごみが生じることを限定できる。実際、ごみがチューブから逃げることは、チューブの端部側でのみ可能となるため、この場所にごみの散乱をモニタする手段を配置させる。しかしながら、この技術には大きな短所があって、つまり、ベルトと搬送面の間にごみが侵入する場合があり、このごみが堆積すると、コンベアの操作性を低下させることがあるという点である。この場合、システムを停止させて、クリーニング操作を行うことになる。しかしながら、端部から端部までチューブ状の部品から構成されるチューブの内部に、比較的長い距離にわたってベルトが配置されているため、このような停止はかなり長くかかっていた。そして、問題を見つけ出し、対処することが困難であった。このことは、定期的に行われるメンテナンス作業においても同様であった。
【特許文献１】フランス国特許公開第２．２８３．０７０号公報（ＦＲ−Ａ−２．２８３．０７０）
【発明の開示】
【発明が解決しようとする課題】
【００１１】
本発明は、以上の点に鑑みてなされたものであり、上記問題点を克服するように、エンドレス状の搬送面を運ぶように構成されたガイド面と、該ガイド面を備えたコンベアを提供することを目的とするものである。
【課題を解決するための手段】
【００１２】
上記目的を達成するために、本発明は、搬送用のエンドレスベルト（3）を運ぶように構成されたガイド面（4）であって、このガイド面の曲率は、水平方向のローラ（7）と、前記ベルト（3）の移動に関して固定されかつ前記ローラ（7）の両側に置かれた二つの側面（8）と、により決定され、
前記側面の各々は、前記ベルト（3）の全長にわたり、該ベルト（3）の長手軸方向に沿って連続する壁面を形成しており、かつ、湾曲して、前記ベルト（3）によって占められるベアリング面を超えて側方に延び、
さらに、少なくとも局所的には、前記側面の少なくとも一つを迅速取付装置（9）によってシャシーにヒンジ（10C）を用いて固定して、前記側面を支持するガイド部（10）が、前記側面（8）とともに、前記ヒンジ（10Ｃ）を中心に傾斜又は回転することにより、前記ローラ上に配置された前記ベルトに対して開閉可能なアクセスドアを構成することを特徴とする。
また、本発明は、上記ガイド面を備えたコンベアを提供する。
【００１３】
以下、本発明に係る好適な実施形態について添付した図を参照して説明するが、これら図に示す実施形態は本発明の範囲を限定するものではなく、単に概略的に示されたものに過ぎないことを理解されたい。
【発明を実施するための最良の形態】
【００１４】
添付した図を参照すると、ベルト又はバッテンタイプのコンベアを示している。通常、コンベア（１）はエンドレス状の搬送面（３）を有し、この表面は、例えば湾曲等の輪郭を形成するガイド面（４）上を移動して、シャシー（２）上に支持されるように構成されている。エンドレスベルトつまり表面（３）の上方にはカバー（５）が設けられており、閉じたボリューム（６）を形成している。
【００１５】
また、搬送用のエンドレス面（３）の縁部を、ガリーを形成できるように持ち上げて、このコンベアの上に載せた塊状の材料を保持できるように構成する必要がある。また、エンドレスベルトを移動させるために、従来公知のテンショナーや駆動源を備えている。そして、搬送される材料は、両端部側で開口するトンネル内を移動するようにしている。さらに、ベルトの移動方向に対して横切る軸方向でのベルトの湾曲、つまりガリーの輪郭は、水平方向のローラ（７）と、このローラの両側に設けられた、好適には湾曲している２つの側面（８）によって定められるようにしている。
【００１６】
各側面は、形状を構成する部位を超えて延びている。これらは移動型のローラではなく、ベルトの移動に対して固定されたベアリング面である。
【００１７】
また、各側面（８）は、エンドレスベルトを載せる表面を越えて側方に延びている。この内側の端部と外側の端部の間には中断部がない。また、これら各々は、水平線に対して角度付けられている。
【００１８】
少なくとも局所的には、側面（８）の少なくとも一つを迅速取付装置（９）によってシャシーに固定して（図１参照）、閉じたボリュームに対して開口部を素早く提供できるように、アクセスドアの一種を構成している（図３参照）。
【００１９】
この迅速取付装置は、操作に時間のかかる、例えば１０分もかかるような一連のボルトとは異なり、例えばラッチやピッチの大きなねじ（coarse-pitch screw）等の手段である。従って、側面（８）はエンドレスベルトを案内する機能に加えて、アクセスドアとしての機能を備える。また、搬送路の全長にわたって、側壁によって形成される側面は連続している。従って、カバー（５）とエンドレスベルトを用いて、閉じたチューブを構成している。
【００２０】
また、コンベアの底部に開口部を設けるものとする。この開口部は、全搬送路に沿って設けた水平方向のローラの位置に設けられる。従って、側面とベルトの底面の間に位置するスペース内に搬送用の材料が侵入しても、この開口部から取出すことができ、堆積の危険性を除くことができる。好ましくは、この取外し自在の側面（８）は、予め定められた二つの位置、つまり作用位置と、いわゆるサービス位置の間で移動可能なように設けられたガイド部（１０）によって支持されて、サービス位置では側面がベルトから離れるように移動して、ベルトに対して視覚的にアクセスできるようにする（図３参照）。このロッキング操作は、簡単なラッチを操作したり、解除させることで行われる。
【００２１】
ガイド面を提供する壁部は、例えば、ブラケットによって支持される。
このことを実行する第一の方法では、例えば、少なくとも一つのスライド（１０Ａ）とこのランナー（１０Ｂ）を用いて、これらガイド部（１０）が側方のガイドシステムを構成する（又はガイド部は横方向に移動する）ようにする（図５の左側参照）。
【００２２】
他の方法では、側壁の各構成要素（８）を少なくとも一つのヒンジ（１０Ｃ）を用いて固定して、組付け時に定められる軸に対してガイド部が傾斜したり、回転できるようにする（図５の右側参照）。本発明の出願人は、この形状を、例えば、エンドレスベルトの移動軸に対して軸方向に相対的に平行なように構成した。このヒンジ部は、支持部によって保持される側壁の底部に設けられている。このヒンジ部は、各側壁を単一の板状のドアとして作用させるように、垂直軸上に設けられていてもよい。また、湾曲した側面を運ぶ支持部を傾斜させるだけで、ベルトに対してアクセスできるようにする。
【００２３】
従って、材料を保持するチューブの内部にアクセスするために、コンベアの側壁の一部を非常に容易に取外すことができる。さらに、ベルトの底面と湾曲した側面の上面との間に位置するスペース内に材料が侵入した場合でも、ローラと湾曲した側面の間にある隙間から取出すことができる。
【００２４】
好ましくは、側面（８）は全ての箇所において素早く移動できるようにする。また、添付した図から理解できるように、側面（８）の作用面を少なくとも二つの平面又は二つの湾曲部から構成し、これらの間に中断部又は切れ目（１２）を形成して、ベルトの側方の移動を停止できるようにする（図５参照）。この中断部は、理論的には、ベルトがこの移動軸の中心にあるとき、ベルトと接触しないように、ベアリング面の領域内に設けられる。実施上、ベルトは、この移動中、ベルトの軸方向の移動に厳格に保たれるわけではなく、側方にも移動できる。従って、ベルトの縁部が中断部にあたって、この中断部を乗り越えて進もうとする力が増すと、反作用によって、ベルトは他の方向に向って戻されるようにする。具体例を挙げると、側壁は鋼（スチール）から形成できる。
【００２５】
側面のうち少なくとも作用面はわずかに粗い（ラフである）。また、スライド作用を向上させる材料からなるレイヤを用いて、上記側面を提供する側壁を覆うようにしてもよい。また、添付した図では、チューブの容量を増大させ、過度の圧力を限定させるように、カバーを持ち上げている。
【００２６】
また、側面を提供する側壁の自由端部（８Ａ）は、例えばラッチのような解除可能な固定装置によってカバーに対して一体なように固定されている。このカバーは、ヒンジ部に取付けられていてもよい。また、メンテナンスを容易にするために、水平方向のローラ（７）を傾斜自在の支持部（１３）上に取付けて（図２参照）、交換時に素早く取外せるようにする（図４参照）。例えば、この支持部は二つの側板（チークプレート）（１３Ａ）を有し、これら各々にスロット（１４）を設けて、水平方向のローラの回転軸がこのスロット内に滑り込めるようにする（図６参照）。このスロット（１４）は、上方からローラの軸と係合できるように構成されている。従って、この支持部が持ち上げられると、ローラはベルトの下方に置かれる。そして、ローラ（７）はスロットから出られなくなる。
【００２７】
尚、上記スロット（１４）を正面又は下方に向って開口させることは可能であるが、スロットの入口側に固定装置（ロッキング装置）を設けるものとする（図７参照）。
【００２８】
また、側面とローラを運ぶシャシー又はクロスメンバに、侵入を防止する保護構成を備える。
好ましくは、支持部にこの侵入を防止する保護部（１５）を備えて、ローラとベルトによって覆う部品がトラップされる危険性を限定させる。これは、ローラの上流側に配置したプレート（１５）によって構成できる。これら構成は、テクニカルサービスを大きく向上させる。
【００２９】
ローラと側面は、上記迅速取付装置とともにクロスメンバ上に取付けられて、既にあるシャシー上に容易に取付けられるようにアセンブリを形成する。また、カバーはこの垂直方向の部分で持ち上げられていてもよい。
【図面の簡単な説明】
【００３０】
【図１】本発明に係るコンベアを示す断面図である。
【図２】図１の側面図である。
【図３】メンテナンス作業時にアクセスドアを構成したときの図１に示したコンベアの図である。
【図４】メンテナンス作業時に支持部を傾斜させたときの図２に示したコンベアの図である。
【図５】コンベアの他の例を示す図である。
【図６】ローラの保持装置を示す図である。
【図７】他のローラの保持装置を示す図である。
【符号の説明】
【００３１】
１                  コンベア
２                  シャシー
３                  搬送面
４                  ガイド面
５                  カバー
７                  ローラ
８                  側面
１０                ガイド部
【図１】
0004840556.tif 000002
【図２】
0004840556.tif 000003
【図３】
0004840556.tif 000004
【図４】
0004840556.tif 000005
【図５】
0004840556.tif 000006
【図６】
0004840556.tif 000007
【図７】
0004840556.tif 000008